(57)【要約】【課題】遊技領域が形成された遊技盤に配設され、該遊技領域を流下する遊技球を受入可能な役物装置と、該役物装置の下方に配置される始動口と、を備えた遊技機において、遊技球が始動口に入るまでの過程に変化を持たせて遊技者の興趣を持続させる。【解決手段】役物装置１００に、第１振分部１４３と、該第１振分部１４３の下流側に位置する第２振分部１５１と、該第２振分部１５１の下流側に位置する第３振分部１６２と、該第３振分部１６２の下流側に位置する第４振分部１８１とを備える。また、第１振分部１４３は遊技球を第２振分部１５１の左右に振り分け、第２振分部１５１は遊技球を第３振分部１６２と第４振分部１８１の何れかに振り分け、第３振分部１６２は遊技球を第４振分部１８１における異なる領域の何れかに振り分け、第４振分部１８１は遊技球を第１流下部１８１ｈと第２流下部１８１ｊの何れかに振り分けるようにする。【選択図】図２
2009028238.tif 000002
【特許請求の範囲】
【請求項１】
遊技領域が形成された遊技盤に配設され、該遊技領域を流下する遊技球を受入可能な役物装置と、該役物装置の下方に配置される始動口と、を備えた遊技機において、
前記役物装置は、
前面が開口して後方に延在する凹室と、
遊技領域を流下する遊技球を前記凹室内へ導入可能な遊技球導入口と、
前記凹室内に配され、前記遊技球導入口から導入した遊技球を前記始動口と前記遊技領域の何れかに振り分ける振分部と、を備え、
前記振分部は、
第１振分部と、
該第１振分部の下流側に位置する第２振分部と、
該第２振分部の下流側に位置する第３振分部と、
該第３振分部の下流側に位置する第４振分部と、を備え、
前記第１振分部は、前記遊技球導入口から導入した遊技球を、前記第２振分部の左右端部の何れかに振り分けるように構成され、
前記第２振分部は、前記第３振分部へ遊技球を誘導する流入口を中央に備えるとともに、前記第４振分部へ遊技球を誘導する流下路を左右端部に備え、前記第１振分部から受け入れた遊技球を前記第３振分部と前記第４振分部の何れかに振り分けるように構成され、
前記流下路は、上半部が前記第２振分部の前端へ向かって下るように形成されるとともに、下半部が前記第２振分部の下方に配された流下路形成部材により後方へ下るように形成されて、遊技球を前記第４振分部へ誘導するように構成され、
前記第３振分部は、略すり鉢状に形成され、底面に前記第４振分部における異なる領域に遊技球を誘導する第１振分口と第２振分口とを備え、前記第２振分部から受け入れた遊技球を、前記第４振分部における異なる領域の何れかに振り分けるように構成され、
前記第４振分部は、遊技球を前記始動口へ誘導する第１流下部を中央に備えるとともに、遊技球を前記遊技領域へ誘導する第２流下部を左右に備え、遊技球を前記第１流下部と前記第２流下部の何れかに振り分けるように構成され、
前記第１振分口を前記第４振分部の前記第１流下部へ遊技球を誘導するように構成するとともに、前記流下路及び前記第２振分口を前記第４振分部の前記第１流下部以外の領域へ遊技球を誘導するように構成し、前記第１振分口に流入して前記第４振分部に至った遊技球が、前記流下路若しくは前記第２振分口を経由して前記第４振分部に至った遊技球よりも高い確率で前記始動口へ誘導されるようにしたことを特徴とする遊技機。
【請求項２】
前記第２振分部は、前記第１振分部からの遊技球を受け入れる左右端部の内面が、外側へ突出する円弧状の曲面とされていることを特徴とする請求項１に記載の遊技機。
【請求項３】
前記凹室の内周面に被嵌合部を形成し、
前記凹室内に配設されて前記振分部を構成する振分部構成部材に、前記被嵌合部に嵌合可能な嵌合部を形成し、
前記嵌合部を前記被嵌合部に嵌合することで、前記凹室の所定位置に前記振分部構成部材を配設可能としたことを特徴とする請求項１または２に記載の遊技機。
【発明の詳細な説明】
【技術分野】
【０００１】
本発明は、遊技領域が形成された遊技盤に配設され、該遊技領域を流下する遊技球を受入可能な役物装置と、該役物装置の下方に配置される始動口と、を備えた遊技機に関する。
【背景技術】
【０００２】
従来、遊技機に設けられる遊技球振り分けのための回転体は、役物装置内に上下に２つのクルーンを配置し、上クルーンには前後方向に２つの穴が開設され、役物装置上部のチャッカーから入賞した遊技球がどちらかの穴を通過するようになっている。また、下クルーンには、上クルーンの穴を通過した遊技球が入球可能な３つの穴が開設され、３つのうち、１つの穴は上クルーンの手前側の穴と連通している。そして、この回転体では、下クルーンの手前側の穴に入球すると、盤面に配設された複数の電動役物が連動して開放動作を行う遊技者に有利な状態が発生する。すなわち、上クルーンの手前側の穴を通過すると、直下の下クルーンの当り穴に直接入球する構成になっている。また、上クルーンにおける奥手側の穴を通過すると、下クルーンへ誘導され、下クルーン上を回転して、３つの内いずれかの穴に入球するようになっている。
【０００３】
また、球誘導部材に、複数の入球口が形成されるクルーン面と、クルーン面の周囲に当該クルーン面に遊技球を導くために多段に配置された複数の誘導路を形成し、誘導路に突起部や案内路等を形成することで、クルーン面までの遊技球の流下転動に変化をつけ、遊技を楽しませることができるようにした遊技機が提案されている。さらに、こういった球誘導部材には、クルーン面により誘導された遊技球を遊技領域の所定部位（例えば始動口や入賞口等）に導くための放出路が形成されており、球誘導部材のクルーン面までの遊技球の転動を楽しんだ後に、さらに入賞の期待が高まるように構成されている（例えば、特許文献１参照）。
【特許文献１】特開２００４−２５４９５９号公報
【発明の開示】
【発明が解決しようとする課題】
【０００４】
しかし、上記のような遊技機における２段構成のクルーンを有する遊技機は、当り／はずれの抽選を行う際の球の動きは、クルーン上を回転するのみという非常に単純な動きでしかなく、特段に遊技者の目を引くようなものではなかった。
また、上クルーンにおいて手前側の穴を通過した遊技球は、直下の穴に入球することで遊技者に有利な状態を発生させるようになっているが、この場合、いわゆる当り穴へ入球するまでの球の動きに変化がなく、ストレートに落下するのみで、せっかく当り穴へ入球するということへの遊技者の期待感や興趣を向上させることはできない。
またさらに、クルーンを２段に配置すると、遊技盤面の限られたスペースに役物装置を配置するという点、その役物装置内に多段に形成されたクルーン上をさらに遊技球が動き、転動するという点などから、あまり複雑な転動をさせることができず、かえって窮屈な印象を与え、遊技者は遊技を十分に楽しむことができない。
【０００５】
そこで、特許文献１のような遊技機においては、クルーン面までの誘導路に突起部や案内路等を形成することで、遊技球の流下転動方向を変化させたり、放出口からの遊技球を所望の箇所に案内するようにしたりしているが、上記のような構成では、クルーン面を形成した球誘導部材上に複数の誘導路や案内路、突起等を形成しているため、遊技球の転動スペースには限りがあり、装飾等が複雑化するセンターケースにおいては非常に窮屈な構造となってしまう。そのため、遊技者にとっての遊技球の転動について、興趣が向上するほどのものを期待することは困難であるし、立体的な遊技球の動きを実現することはできないと言える。
【０００６】
本発明の目的は、遊技領域が形成された遊技盤に配設され、該遊技領域を流下する遊技球を受入可能な役物装置と、該役物装置の下方に配置される始動口と、を備えた遊技機において、遊技球が始動口に入るまでの過程に変化を持たせて遊技者の興趣を持続させることである。
【課題を解決するための手段】
【０００７】
以上の課題を解決するため、請求項１に記載の発明は、
遊技領域が形成された遊技盤に配設され、該遊技領域を流下する遊技球を受入可能な役物装置と、該役物装置の下方に配置される始動口と、を備えた遊技機において、
前記役物装置は、
前面が開口して後方に延在する凹室と、
遊技領域を流下する遊技球を前記凹室内へ導入可能な遊技球導入口と、
前記凹室内に配され、前記遊技球導入口から導入した遊技球を前記始動口と前記遊技領域の何れかに振り分ける振分部と、を備え、
前記振分部は、
第１振分部と、
該第１振分部の下流側に位置する第２振分部と、
該第２振分部の下流側に位置する第３振分部と、
該第３振分部の下流側に位置する第４振分部と、を備え、
前記第１振分部は、前記遊技球導入口から導入した遊技球を、前記第２振分部の左右端部の何れかに振り分けるように構成され、
前記第２振分部は、前記第３振分部へ遊技球を誘導する流入口を中央に備えるとともに、前記第４振分部へ遊技球を誘導する流下路を左右端部に備え、前記第１振分部から受け入れた遊技球を前記第３振分部と前記第４振分部の何れかに振り分けるように構成され、
前記流下路は、上半部が前記第２振分部の前端へ向かって下るように形成されるとともに、下半部が前記第２振分部の下方に配された流下路形成部材により後方へ下るように形成されて、遊技球を前記第４振分部へ誘導するように構成され、
前記第３振分部は、略すり鉢状に形成され、底面に前記第４振分部における異なる領域に遊技球を誘導する第１振分口と第２振分口とを備え、前記第２振分部から受け入れた遊技球を、前記第４振分部における異なる領域の何れかに振り分けるように構成され、
前記第４振分部は、遊技球を前記始動口へ誘導する第１流下部を中央に備えるとともに、遊技球を前記遊技領域へ誘導する第２流下部を左右に備え、遊技球を前記第１流下部と前記第２流下部の何れかに振り分けるように構成され、
前記第１振分口を前記第４振分部の前記第１流下部へ遊技球を誘導するように構成するとともに、前記流下路及び前記第２振分口を前記第４振分部の前記第１流下部以外の領域へ遊技球を誘導するように構成し、前記第１振分口に流入して前記第４振分部に至った遊技球が、前記流下路若しくは前記第２振分口を経由して前記第４振分部に至った遊技球よりも高い確率で前記始動口へ誘導されるようにしたことを特徴とする。
【０００８】
請求項１に記載の発明によれば、振分部は、第１振分部と、該第１振分部の下流側に位置する第２振分部と、該第２振分部の下流側に位置する第３振分部と、該第３振分部の下流側に位置する第４振分部とを備えるので、複数段階で振り分けが行われるようになり、遊技球が始動口に入るまでの過程に変化を持たせて遊技者の興趣を持続させることができる。また、遊技球が役物装置内で転動する時間を長くでき、遊技の興趣を向上できる。
【０００９】
また、第１振分部は、遊技球導入口から導入した遊技球を第２振分部の左右端部の何れかに振り分け、第２振分部は、第３振分部へ遊技球を誘導する流入口を中央に備えるとともに、第４振分部へ遊技球を誘導する流下路を左右端部に備え、遊技球を第３振分部と第４振分部の何れかに振り分け、流下路は、上半部が第２振分部の前端へ向かって下るとともに、下半部が後方へ下るように形成されて、遊技球を第４振分部へ誘導する。また、第３振分部は、略すり鉢状に形成され、底面に第４振分部における異なる領域に遊技球を誘導する第１振分口と第２振分口とを備え、遊技球を第４振分部における異なる領域の何れかに振り分け、第４振分部は、遊技球を始動口へ誘導する第１流下部を中央に備えるとともに、遊技球を遊技領域へ誘導する第２流下部を左右に備え、遊技球を第１流下部と第２流下部の何れかに振り分けるので、遊技球が上下、左右、前後に転動し、立体的な遊技球の動きを実現でき、遊技球が始動口に入るまでの過程に変化を持たせて遊技者の興趣を持続させることができる。また、第１振分口を第４振分部の第１流下部へ遊技球を誘導するように構成するとともに、流下路及び第２振分口を第４振分部の第１流下部以外の領域へ遊技球を誘導するように構成し、第１振分口に流入して第４振分部に至った遊技球が、流下路若しくは第２振分口を経由して第４振分部に至った遊技球よりも高い確率で始動口へ誘導されるようにしたので、各振分部における振分結果が始動口への入賞確率に影響するようになり、役物装置における振分の興趣を向上できる。
【００１０】
請求項２に記載の発明は、請求項１に記載の遊技機であって、
前記第２振分部は、前記第１振分部からの遊技球を受け入れる左右端部の内面が、外側へ突出する円弧状の曲面とされていることを特徴とする。
【００１１】
請求項２に記載の発明によれば、第２振分部は、第１振分部からの遊技球を受け入れる左右端部の内面が、外側へ突出する円弧状の曲面とされているので、上方から落下する遊技球の落下の勢いを損ねることなく、流下方向を第２振分部の中央へ方向に滑らかに変換でき、転動態様に変化をもたせることができる。また、流下方向が変更される位置での球止まりを防止できる。さらに、上述したように、第２振分部の中央に遊技者にとって有利な第３振分部への流入口を設ければ、この流入口へ向かって遊技球が勢い良く転動することにより入賞への期待感を増大でき、遊技の興趣を向上できる。
【００１２】
請求項３に記載の発明は、請求項１または２に記載の遊技機であって、
前記凹室の内周面に被嵌合部を形成し、
前記凹室内に配設されて前記振分部を構成する振分部構成部材に、前記被嵌合部に嵌合可能な嵌合部を形成し、
前記嵌合部を前記被嵌合部に嵌合することで、前記凹室の所定位置に前記振分部構成部材を配設可能としたことを特徴とする。
【００１３】
請求項３に記載の発明によれば、凹室の内周面に被嵌合部を形成し、凹室内に配設されて振分部を構成する振分部構成部材に、被嵌合部に嵌合可能な嵌合部を形成し、嵌合部を被嵌合部に嵌合することで、凹室の所定位置に振分部構成部材を配設可能としたので、凹室内に多くの振分部を備える場合でも各部材を所定位置に確実に配設でき、役物装置の不具合（球止まり、振分確率のばらつきなど）の発生を防止できる。また、振分部を構成する振分部構成部材に一体に嵌合部を形成することで部品点数を削減でき、組み立ての際の作業性を向上できる。
【発明の効果】
【００１４】
本発明によれば、振分部は、第１振分部と、該第１振分部の下流側に位置する第２振分部と、該第２振分部の下流側に位置する第３振分部と、該第３振分部の下流側に位置する第４振分部とを備えるので、複数段階で振り分けが行われるようになり、遊技球が始動口に入るまでの過程に変化を持たせて遊技者の興趣を持続させることができる。また、遊技球が役物装置内で転動する時間を長くでき、遊技の興趣を向上できる。
【００１５】
また、第１振分部は、遊技球導入口から導入した遊技球を第２振分部の左右端部の何れかに振り分け、第２振分部は、第３振分部へ遊技球を誘導する流入口を中央に備えるとともに、第４振分部へ遊技球を誘導する流下路を左右端部に備え、遊技球を第３振分部と第４振分部の何れかに振り分け、流下路は、上半部が第２振分部の前端へ向かって下るとともに、下半部が後方へ下るように形成されて、遊技球を第４振分部へ誘導する。また、第３振分部は、略すり鉢状に形成され、底面に第４振分部における異なる領域に遊技球を誘導する第１振分口と第２振分口とを備え、遊技球を第４振分部における異なる領域の何れかに振り分け、第４振分部は、遊技球を始動口へ誘導する第１流下部を中央に備えるとともに、遊技球を遊技領域へ誘導する第２流下部を左右に備え、遊技球を第１流下部と第２流下部の何れかに振り分けるので、遊技球が上下、左右、前後に転動し、立体的な遊技球の動きを実現でき、遊技球が始動口に入るまでの過程に変化を持たせて遊技者の興趣を持続させることができる。また、第１振分口を第４振分部の第１流下部へ遊技球を誘導するように構成するとともに、流下路及び第２振分口を第４振分部の第１流下部以外の領域へ遊技球を誘導するように構成し、第１振分口に流入して第４振分部に至った遊技球が、流下路若しくは第２振分口を経由して第４振分部に至った遊技球よりも高い確率で始動口へ誘導されるようにしたので、各振分部における振分結果が始動口への入賞確率に影響するようになり、役物装置における振分の興趣を向上できる。
【発明を実施するための最良の形態】
【００１６】
以下、この発明の実施形態について図面を参照して説明する。
ここでは、本発明にかかる遊技機の適例としてのパチンコ遊技機について説明を行う。
図１には、ガイドレール２で囲まれ、遊技球を発射して遊技を行う遊技領域１ａが前面側に形成された遊技盤１を示した。なお、パチンコ遊技機の外枠であって島設備に固定される機枠や、遊技領域１ａの前面を覆うクリア部材保持枠、遊技盤１を取り付ける前面枠、遊技領域１ａの下側に設けられ遊技球を収容する上皿、下皿を有するとともに、遊技者が発射操作を行うための操作ハンドルを備えた操作パネルなどは図示を省略している。
【００１７】
遊技盤１は、各種部材の取付ベースとなる平板状の遊技盤本体１ｂ（木製もしくは合成樹脂製）を備え、該遊技盤本体１ｂの前面に、ガイドレール２で囲まれた遊技領域１ａを有している。このガイドレール２は略円形に形成されており、その一部は、矩形板状の遊技盤本体１ｂの前面における四隅に設けられた区画部材３，３，…の側面によって形成されている。そして、このガイドレール２で囲まれた遊技領域１ａ内に発射装置から遊技球（打球；遊技媒体）を発射して遊技を行うようになっている。
【００１８】
遊技領域１ａには、中央部に役物装置１００が設けられ、その直下に始動口４が設けられている。また、役物装置１００の側方には、普図始動ゲート６、普通変動入賞装置７が設けられ、さらに、役物装置１００の下方には、始動口４及び普通変動入賞装置７への入賞に基づき実行される特図変動表示ゲームに対応する表示ゲームを表示する表示部１５が設けられている。また、遊技領域１ａには、普図変動表示ゲームの未処理回数を表示する普図記憶表示器、普図の変動表示ゲームを表示する普図表示器、特図変動表示ゲームの未処理回数を点灯表示する特図記憶表示器、特図変動表示ゲームを表示する特図表示器９、遊技状態を表す遊技状態表示器が、セグメントＬＥＤ８として一体に設けられている。この他、遊技領域１ａには、発光や動作により遊技の装飾を行う遊技盤装飾装置１６、一般入賞口１２，１２，…、打球方向変換部材としての風車１４，１４，…、多数の障害釘（図示略）、入賞口などに入賞しなかった遊技球を回収するアウト穴１１などが配設されている。
【００１９】
普図始動ゲート６は遊技球が上下に通過可能なゲートであり、その内部には遊技球の通過を検出するゲートセンサが設けられている。そして、該ゲートセンサで遊技球が検出されることに基づき普図変動表示ゲームの始動条件が成立し、セグメントＬＥＤ８に設けられた普図表示器で普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート６を遊技球が通過すると、普図始動記憶数の上限数未満でならば、普図始動記憶数が１加算されて普図始動記憶が１つ記憶されることとなる。なお、普図変動表示ゲームの始動記憶は、セグメントＬＥＤ８に設けられた普図記憶表示器にて表示されるようになっている。
【００２０】
普通変動入賞装置７は左右一対の開閉部材７ａ，７ａを具備している。この開閉部材７ａ，７ａは、常時は遊技球が流入不能な閉じた状態（遊技者にとって不利な状態）を保持しているが、普図変動表示ゲームの結果が所定の停止表示態様となった場合には、普図の当たりとなって、普通変動入賞装置７の開閉部材７ａ，７ａが所定時間（例えば、０.５秒間）逆「ハ」の字状に開いて普通変動入賞装置７に遊技球が流入し易い状態（遊技者にとって有利な状態）に変化されるようになっている。
【００２１】
役物装置１００は、上部に設けられた遊技球導入口１４１ａから受け入れた遊技球を、始動口４の直上に排出するか、始動口４の左右から遊技領域１ａへ排出するかの振分遊技を行う。なお、この役物装置１００の詳細については後述する。また、始動口４および普通変動入賞装置７の内部には遊技球の流入を検出する始動口センサが設けられている。この始動口４および普通変動入賞装置７は、始動入賞口であって、始動口センサで遊技球が検出されることに基づき特図変動表示ゲームの始動条件が成立するようになっている。
【００２２】
この特図変動表示ゲームを開始する始動権利は、所定の上限数（例えば４）の範囲内で始動記憶（特図始動記憶）として記憶される。従って、特図変動表示ゲームが開始可能な状態で、且つ、始動記憶数が０の状態で、普通変動入賞装置７もしくは始動口４に遊技球が入賞すると、始動権利の発生に伴って始動記憶が記憶されて、始動記憶数が１加算されるととともに、直ちに始動記憶に基づいて、特図変動表示ゲームが開始され、この際に始動記憶数が１減算される。
【００２３】
一方、特図変動表示ゲームが直ちに開始できない状態、例えば、既に特図変動表示ゲームが行われ、その特図変動表示ゲームが終了していない状態や、特別遊技状態となっている場合に、普通変動入賞装置７もしくは始動口４に遊技球が入賞すると、始動記憶数が上限数未満ならば、始動記憶数が１加算されて始動記憶が１つ記憶されることになる。そして、始動記憶数が１以上となった状態で、特図変動表示ゲームが開始可能な状態（前回の特図変動表示ゲームの終了もしくは特別遊技状態の終了）となると、始動記憶数が１減算されるとともに、記憶された始動記憶に基づいて特図変動表示ゲームが開始される。なお、特図変動表示ゲームの始動記憶は、セグメントＬＥＤ８に設けられた特図記憶表示器にて表示されるようになっている。
【００２４】
特図（特別図柄、識別情報）変動表示ゲームは、セグメントＬＥＤ８に設けられた特図表示器９で実行されるようになっており、複数の識別情報を変動表示したのち、所定の結果態様を停止表示することで行われる。また、役物装置１００の下方に設けられた表示部１５にて特図変動表示ゲームに対応する表示ゲームが表示されるようになっている。表示部１５は、点灯、点滅することで表示を行う第１表示部１５ａ及び第２表示部１５ｂと、７セグを備えた第３表示部１５ｃとを備える。この表示部１５に表示される表示ゲームでは、まず、第１表示部１５ａと第２表示部１５ｂを所定時間交互に点滅した後、何れか一方が点灯される。その結果、第１表示部１５ａが点灯表示された場合は、第３表示部１５ｃで図柄（例えば、数字やアルファベット）の変動表示が開始され、所定時間変動表示した後、所定の結果態様が表示されるようになっている。
【００２５】
そして、特図変動表示ゲームの結果として、特図表示器９の表示態様が特別結果態様（たとえば「７」）となった場合には、大当たりとなって特別遊技状態（いわゆる、大当たり状態）となる。また、これに対応して表示部１５における第３表示部１５ｃも特別結果態様（例えば、「７，７」等のゾロ目数字の何れか）となる。
【００２６】
特別変動入賞装置１０は、上端側が手前側に倒れる方向に回動して開放可能になっているアタッカ形式の開閉扉１０ａによって開閉される大入賞口を備えていて、特別遊技状態中は、大入賞口を閉じた状態から開いた状態に変換することにより大入賞口内への遊技球の流入を容易にさせる。なお、開閉扉１０ａは、ソレノイド（大入賞口ＳＯＬ）により駆動される。また、大入賞口の内部（入賞領域）には、該大入賞口に入った遊技球を検出するための大入賞口用センサ（カウントセンサ）が配設されている。
【００２７】
また、遊技領域１ａに設けられた一般入賞口１２，１２，…には、一般入賞口１２，１２，…に入った遊技球を検出するための一般入賞センサが配設されている。そして、遊技を開始することにより遊技領域１ａ内に打ち込まれた遊技球が、一般入賞口１２，１２，…、始動口４、普通変動入賞装置７、特別変動入賞装置１０等の入賞口の何れかに入賞すると、それぞれの入賞口に対応した所定数の賞球が排出される（払い出される）ようになっている。
【００２８】
次に遊技領域１ａの略中央に配される役物装置１００の詳細について説明する。
図２から４に示すように、この役物装置１００は、ベース部材１１０と、該ベース部材１１０の前方に配される前方構成部材１１１と、該ベース部材１１０の後方に配され、遊技球の振分遊技を行う振分空間をなす凹室１２１を有するユニットベース１２０とを備え、遊技盤本体１ｂに形成された役物装置取付開口（図示略）に前面側から嵌め込まれるように取り付けられている。
【００２９】
ベース部材１１０は、ユニットベース１２０に形成された振分空間をなす凹室１２１の前側の開口に合わせて、前後に貫通する前方開口部１１２が形成されて枠状となっている。またベース部材１１０は、遊技盤本体１ｂに形成された役物装置取付開口にちょうど収まる大きさに形成されているとともに、前端部には外側に向かって鍔状に延出する板状の取付ベース１１３が形成されている。この取付ベース１１３は、遊技盤１に形成された図示しない役物装置取付開口の周縁よりも外側に延出するように形成されており、役物装置取付開口に役物装置１００を前面側から挿入した際に、遊技盤本体１ｂの前面にその裏面が当接するようになっている。これによって、遊技盤本体１ｂに対する役物装置１００の前後位置が所定の前後位置に設定されるようになっている。また、この取付ベース１１３には、前後に貫通するねじ孔が複数形成されており、ねじによって役物装置１００を遊技盤本体１ｂに固定できるようになっている。また、この取付ベース１１３も、その形状及び外観により装飾部材として機能する。
【００３０】
前方構成部材１１１は、前方開口部１１２の上下の一部を除く周縁に沿って形成されていて、その前後幅は、遊技盤本体１ｂの前面から遊技領域１ａの前面側を覆うクリア部材をなすガラス板までの幅と略等しくされ、遊技領域１ａを流下する遊技球が、所定の遊技球導入口１４１ａ以外から振分空間をなす凹室１２１に侵入することを防止するようになっている。また、前方構成部材１１１は、その形状及び外観により装飾部材としても機能するようになっている。
【００３１】
また、前方構成部材１１１は、前方開口部１１２の上部における左右方向の中央において一部が途切れており、この部分には凹室１２１への遊技球導入口１４１ａが形成されるようになっている。また、前方構成部材１１１は、前方開口部１１２の下部においても一部が途切れており、この部分は凹室１２１から遊技領域１ａへの流出部となっている。また、この流出部の中央には始動口４が形成されており、流出部の中央から流出した遊技球は始動口４に流入し、左右から流出した遊技球は遊技領域１ａへ流下するようになっている。
【００３２】
ユニットベース１２０は前面側に開口する凹室１２１を有しており、この凹室１２１が振分遊技を行う振分空間をなす。また、ユニットベース１２０の後方には、発光部材としてのＬＥＤ１３１，１３１，…が複数配されたＬＥＤ基板１３０が配され、さらにその後方には、ユニットベース１２０の後方を覆うように、後方カバー部材１３２が配されるようになっている。そして、ユニットベース１２０の凹室１２１の最奥部を形成する後壁１２２は、光を透過可能な材質からなるとともに、透過する光を収束または発散させるようなレンズ状に加工されており、後方に配されるＬＥＤ１３１，１３１，…からの光により凹室１２１の内部を装飾可能となっている。
【００３３】
また、振分空間をなす凹室１２１の内部には、振分遊技を行う振分部材として、上から第１振分部材１４０、第２振分部材１５０、第３振分部材１６０、第４振分部材１８０が配されている。
【００３４】
第１振分部材１４０は、ベース部材１１０の前面に配される遊技球導入口形成部１４１と、該遊技球導入口形成部１４１の下方に位置し、前方開口部１１２の内側となる部分に配される後方誘導部１４２、該後方誘導部１４２の後方に位置し、凹室１２１内に配される第１振分部１４３とを備える。遊技球導入口形成部１４１は上方に開口しており、遊技領域１ａを流下する遊技球を受け入れる遊技球導入口１４１ａを形成するとともに、この遊技球導入口１４１ａに流入した遊技球を後方誘導部１４２に誘導するようになっている。また、後方誘導部１４２は後方に傾斜する樋状に形成されており、流入した遊技球を凹室１２１内に配される第１振分部１４３に誘導するようになっている。
【００３５】
第１振分部１４３は、中央から左右に下るように傾斜した傾斜面１４３ａと、該傾斜面１４３ａの前端部に位置し、傾斜面１４３ａに対して垂直に上方へ延出する前壁部１４３ｂとを有する。また、第１振分部１４３の後端部は、ユニットベース１２０の凹室１２１内の上部に形成された壁部１２３の前面に密着して配されるようになっており、第１振分部１４３は、中央から左右に下る溝状の流路となっている。さらに、第１振分部１４３の左右幅は、凹室１２１における第１振分部１４３が配される部分の左右幅よりも狭く、少なくとも左右両側に遊技球一個分以上の間隔があくように配される。このような第１振分部１４３により、後方誘導部１４２によって後方へ誘導された遊技球が左右に振り分けられ、左右端部から下方に落下するようになっている。
【００３６】
第２振分部材１５０は、第１振分部１４３の下方（下流側）に配され、上面が第１振分部１４３の左右端部から落下した遊技球を受け入れるとともに振り分けを行う第２振分部１５１をなす。この第２振分部１５１は、両側部の内側の面が外側へ突出する円弧状の曲面とされるとともに中央が上向きに突出した略Ｗ字状に形成されている。第２振分部１５１の外側へ突出する円弧状の曲面とされた両側部は、第１振分部１４３の左右端部から落下する遊技球が流入する流入部１５１ａとなっている。この流入部１５１ａが外側へ突出する円弧状の曲面となっていることで、落下する遊技球の勢いを落とすことなく、流下方向を垂直方向から第２振分部１５１の中央方向へ滑らかに変換可能となっている。すなわち、上方から落下した遊技球が流入部１５１ａで曲がり、左右方向に沿って第２振分部上を転動するようになる。
【００３７】
以上のことから、第２振分部１５１は、第１振分部１４３からの遊技球を受け入れる左右端部の内面が、外側へ突出する円弧状の曲面とされていることとなる。
【００３８】
そして、流入部１５１ａによって流下方向が変更された遊技球が向かうこととなる第２振分部１５１の上向きに突出した中央には、第２振分部材１５０の下方に配された第３振分部材１６０に連通する上下に貫通した流入口１５１ｂが形成されている。なお、第２振分部１５１の前後幅は、遊技球の直径の２倍以上とされており、流入口１５１ｂは第２振分部１５１の後端部近傍に形成されている。よって、第２振分部１５１の中央を通過する遊技球の内、流入口１５１ｂの直上または近傍を適当な速度で通過した遊技球のみが流入口１５１ｂに流入することとなる。
【００３９】
また、上向きに突出した中央の両側に位置する第２振分部１５１で最も低い部分には、第２振分部材１５０の下方に配された第４振分部材１６０に遊技球を誘導する流下路１９０の上流側部分をなす前方誘導路１５１ｃが形成されている。この前方誘導路１５１ｃは、第２振分部１５１の前方へ向かって下る傾斜面とされており、流入した遊技球は傾斜面に沿って第２振分部１５１の前端へ流下するようになっている。この第２振分部１５１で最も低い部分に形成された前方誘導路１５１ｃには、流入部１５１ａによって中央へ誘導されたが流入口１５１ｂに流入せず、勢いを失った遊技球が流入するようになっている。なお、第２振分部１５１の前端であって、両側部に形成された前方誘導路１５１ｃの間となる部分には、遊技球の前方への落下を規制する規制壁１５１ｄが形成されており、第２振分部１５１に流入した遊技球は、流入口１５１ｂと流下路１９０をなす前方誘導路１５１ｃの何れかから流出するようになっている。
【００４０】
また、第２振分部材１５０は、両側部の外側の面に外側へ延出するとともに前後方向に延在する嵌合部１５２，１５２が形成されている。また、凹室１２１の内周面であって第２振分部材１５０を取り付ける部分には、第２振分部材１５０に形成された嵌合部１５２，１５２を受け入れ可能な前後に延在するスリット状の被嵌合部１２４，１２４が形成されている。また、第２振分部材１５０の後端部には、後方へ延出する位置決め用のボス（図示略）が形成されており、凹室１２１の後壁１２２であって第２振分部材１５０を取り付ける部分には、第２振分部材１５０に形成された位置決め用のボスを挿入可能な受入部１２２ａが形成されている。そして、第２振分部材１５０は、嵌合部１５２，１５２を被嵌合部１２４，１２４に前側から挿入するとともに位置決め用ボスを受入部１２２ａに前側から挿入するように、凹室１２１の前側から後方（奥側）へ向かってスライドするように取り付けることで、凹室１２１内の所定の位置に配されるようになっている。
【００４１】
第２振分部材１５０の下側には、中央に第３振分部材１６０が配され、その両側に流下路形成部材１７０が配されている。第３振分部材１６０は、第２振分部１５１の流入口１５１ｂに流入した遊技球を誘導する誘導路１６１と、誘導路１６１に誘導された遊技球を受け入れて振り分けを行う第３振分部１６２とを有する。第３振分部１６２に遊技球を誘導する誘導路１６１は、上流側の端部が上下に貫通する流入口１５１ｂの直下に位置し、流入口１５１ｂに流入して下方に流下した遊技球を受入可能となっている。さらに、受け入れた遊技球を円形の第３振分部１６２の外周に沿って誘導し、遊技球を第３振分部１６２の外周部分に周方向に沿って導入するようになっている。
【００４２】
第３振分部１６２は、円形皿状で上面が中心に向かって下る傾斜面となった略すり鉢状に形成されているとともに、中心付近に遊技球が流入可能な第１振分口１６２ａ、第２振分口１６２ｂが、中心を挟んで前後に対向するように形成されたいわゆるクルーンである。このうち第１振分口１６２ａは、第３振分部１６２の中心に対して前方に配され、始動口４に高い確率で遊技球を誘導する後述する第４振分部１８１における第１流下部１８１ｈ上に位置し、この第１流下部１８１ｈに遊技球を流下させるようになっている。また、第２振分口１６２ｂは、第３振分部１６２の中心に対して後方に配され、遊技領域１ａに高い確率で遊技球を誘導する後述する第４振分部１８１における第２流下部１８１ｊ上に位置し、この第２流下部１８１ｊに遊技球を流下させるようになっている。すなわち、第１振分口１６２ａの方が遊技者にとって有利な振分口となっている。この第１振分口１６２ａは第２振分口１６２ｂよりも径が小さく、遊技球が流入しにくくなっており、第３振分部１６２に流入した遊技球のうち、略１／３が第１振分口１６２ａに流入するようにされている。
【００４３】
また、第３振分部材１６０の後部には、後方へ延出する嵌合部１６３が形成されており、凹室１２１の後壁１２２であって第３振分部材１６０を取り付ける部分には、この嵌合部１６３を受け入れ可能な被嵌合部１２５が形成されている。また、第３振分部材１６０の側部には、両側に配される流下路形成部材１７０の接続部１７３，１７３と接続する被接続部１６４，１６４，…が形成されている。
【００４４】
第３振分部材１６０の左右両側であって、流下路１９０の上流側部分をなす前方誘導路１５１ｃが形成された第２振分部１５１の両側部の下部には、流下路形成部材１７０が配されている。この流下路形成部材１７０は、前後方向に延在するとともに後方へ向かって下る樋状に形成された、流下路１９０の下流側部分をなす後方誘導路１７１を備える。この後方誘導路１７１は、前端部が第２振分部１５１の前端よりも前方へ延出するように配され、第２振分部１５１の前端から流下する遊技球を受入可能に配される。また、後方誘導路１７１の後端は流下路１９０の下流端部をなし、凹室１２１の後壁１２２から少なくとも遊技球一個分の間隔をおいて配され、この下流端部に至った遊技球は下側に配された後述する第４振分部１８１の後方部１８１ａ上に落下する。
【００４５】
また、流下路形成部材１７０における凹室１２１の側壁に面する側面には、外側へ延出するとともに前後方向に延在する嵌合部１７２が形成されている。また、凹室１２１の内周面であって流下路形成部材１７０を取り付ける部分には、流下路形成部材１７０に形成された嵌合部１７２を受け入れ可能な前後に延在するスリット状の被嵌合部１２６が形成されている。また、流下路形成部材１７０の第３振分部材１５０側の側面には、第３振分部材１５０に形成された被接続部１６４，１６４に接続する接続部１７３，１７３が形成されている。なお、第３振分部材１５０の両側に流下路形成部材１７０を接続した状態で、嵌合部１７２，１７２を被嵌合部１２６，１２６に前側から挿入するように、凹室１２１の前側から後方（奥側）へ向かってスライドするように取り付ける。これにより、第３振分部材１５０と流下路形成部材１７０が凹室１２１内の所定の位置に配されるようになっている。
【００４６】
第３振分部材１６０、流下路形成部材１７０，１７０の下側には、第４振分部材１８０が配されている。第４振分部材１８０は凹室１２１の底面に沿って配され、上面が振分空間の底面を形成するとともに、第３振分部１６２および流下路１９０からの遊技球を受け入れ、振り分けを行う第４振分部１８１をなす。この第４振分部１８１は、凹室１２１の奥側に配される後方部１８１ａと、その前側に位置する中央部１８１ｂと、ベース部材１１０の内周に配される前方部１８１ｃとを有している。
【００４７】
後方部１８１ａは、左右方向の中央が最も低くなるように下側に突出する円弧状に形成されているとともに、前方へ向かって下る傾斜面となっており、遊技球を中央及び前方へ誘導するようになっている。この後方部１８１ａの左右側部の上方には、流下路１９０の下流端部をなす後方誘導路１７１の後端部が位置しており、流下路１９０を流下した遊技球がこの後方部１８１ａの左右端部近傍に流入するようになっている。また、後方部１８１ａと中央部１８１ｂの境界部分のうち、中央の所定範囲を除く左右側部には、遊技球が後方部１８１ａから中央部１８１ｂへ流入する範囲を規制するように、遊技球が流下する面に対して略垂直な後方隔壁１８１ｄ，１８１ｄが形成されている。この後方隔壁１８１ｄ，１８１ｄを形成したことによって、流下路１９０，１９０から第４振分部１８１の後方部１８１ａに流入した遊技球は、後方隔壁１８１ｄ，１８１ｄに沿って後方部１８１ａ上を中央へ流下し、後方隔壁１８１ｄ，１８１ｄが途切れた部分から前方へ流下して中央部１８１ｂへ流入するようにされている。すなわち、後方隔壁１８１ｄ、１８１ｄが途切れた部分が後方部１８１ａから中央部への流入部１８１ｅとなる。
【００４８】
後方部１８１ａの前方に位置する中央部１８１ｂ、前方部１８１ｃには、後方部１８１ａから中央部１８１ｂへの流入部１８１ｅの左右幅よりも広い左右幅を有し、前方へ傾斜する流下路１８１ｆが形成されている。また、中央部１８１ｂと前方部１８１ｃの境界部分のうち、中央の所定範囲を除く左右側部には、遊技球が中央部から前方部１８１ｃへ流入する範囲を規制するように、遊技球が流下する面に対して略垂直な前方隔壁１８１ｇ，１８１ｇが形成されている。
【００４９】
また、中央部から前方部にかけて形成された流下路１８１ｆにおける左右方向の中央は、ベース部材１１０の前面の中央に設けられた始動口４に遊技球を誘導する第１流下部１８１ｈとされおり、この第１流下部１８１ｈを前後方向に沿って流下する遊技球は、高い確率で始動口４に流入するようになっている。また、前方部１８１ｃには、第１流下部１８１ｈを区画するように、遊技球の直径程度の間隔をおいた一対の平行な誘導リブ１８１ｉ，１８１ｉが、前後方向に沿って形成されており、確実に始動口４へ誘導可能となっている。また、第１流下部１８１ｈの左右の領域は、始動口４の左右に遊技球を誘導することで、遊技球を遊技領域１ａへ誘導する第２流下部１８１ｊとされている。
【００５０】
また、中央部１８１ｂの左右方向の中央であって、第１流下部１８１ｈが形成された部分よりも後方（上流側）には、後方部１８１ａから中央部１８１ｂへ流下する遊技球が直接第１流下部１８１ｈに流入しないように、流下方向を変更する流下方向変更部１８１ｋが形成されている。この流下方向変更部１８１ｋは、前方に向かって左右に幅が広がる略三角形状とされているとともに、中央部１８１ｂの遊技球が流下する面から突出した上面が、中央から左右に下るように傾斜している。この流下方向変更部１８１ｋにより、後方部１８１ａから中央部１８１ｂへ流下する遊技球は第１流下部１８１ｈの左右に振り分けられ、第２流下部１８１ｊを流下するようになっている。なお、第２流下部１８１ｊを流下する遊技球の大部分は始動口４の左右から遊技領域１ａへ流下する。しかし、第１流下部１８１ｈを区画する誘導リブ１８１ｉ，１８１ｉが中央部１８１ｂには形成されていないことから、前方隔壁１８１ｇ，１８１ｇなどに衝突することにより流下方向が変更されて、第１流下部１８１ｈに流入する可能性もある。
【００５１】
また、第４振分部材１８０の両側部の外側の面には、外側へ延出するとともに前後方向に延在する嵌合部１８２，１８２が形成されている。また、凹室１２１の内周面であって第４振分部材１８０を取り付ける部分には、第４振分部材１８０に形成された嵌合部１８２，１８２を受け入れ可能な前後に延在するスリット状の被嵌合部１２７，１２７が形成されている。また、第４振分部材１８０の後端部には、後方へ延出する位置決め用のボス（図示略）が形成されており、凹室１２１の後壁１２２であって第４振分部材１８０を取り付ける部分には、第４振分部材１８０に形成された位置決め用のボスを挿入可能な受入部１２２ｂが形成されている。そして、第４振分部材１８０は、嵌合部１８２，１８２を被嵌合部１２７，１２７に前側から挿入するとともに位置決めボスを受入部１２２ｂに前側から挿入するように、凹室１２１の前側から後方（奥側）へ向かってスライドするように取り付けることで、凹室１２１内の所定の位置に配されるようになっている。
【００５２】
以上のように、役物装置１００における各部材のユニットベース１２０への組み付けは、主に部材どうしの係合や嵌合によって行うようになっている。これにより各振分部材が簡単な構成でより確実に固定されるとともに、所定の位置に正確に固定される。このように、振分部材の各部分がユニットベース１２０に保持され、確実に固定されることで、振動により振分確率が変化することを防止でき、遊技の公平さを確保することができる。また、組み付けに必要なビスの使用個所が少なくなり、役物装置１００の美観を向上させることができるとともに、製造時の作業効率を向上させることができる。
【００５３】
以上のことから、凹室１２１の内周面に被嵌合部１２４，１２５，１２６，１２７を形成し、凹室１２１内に配設されて振分部を構成する振分部構成部材（第２振分部材１５０、第３振分部材１６０、流下路形成部材１７０、第４振分部材１８０）に、被嵌合部１２４，１２５，１２６，１２７に嵌合可能な嵌合部１５２，１６３，１７２，１８２を形成し、嵌合部１５２，１６３，１７２，１８２を被嵌合部１２４，１２５，１２６，１２７に嵌合することで、凹室１２１の所定位置に振分部構成部材を配設可能としたこととなる。
【００５４】
次に、以上のような構成を有する役物装置１００における振分遊技について説明する。
遊技領域１ａに発射され、釘などに接触して役物装置１００の上部に至り、遊技球導入口１４１ａに流入した遊技球は、後方誘導部１４２を後方へ流下して第１振分部１４３に流入する。そして、第１振分部１４３に流入した遊技球は、左右に傾斜する傾斜面１４３ａの何れかを流下し、第２振分部１５１の左右端部に形成された流入部１５１ａ，１５１ａに落下する。
【００５５】
第２振分部１５１の流入部１５１ａ，１５１ａに落下した遊技球は、円弧状の曲面に沿って流下方向が変更され、第２振分部１５１の中央へ誘導される。そして、第２振分部１５１の中央へ誘導された遊技球は、その流下の勢いや流下位置によって一部が流入口１５１ｂに流入する。また、流入口１５１ｂに流下せず流下の勢いが弱まった遊技球は、第２振分部１５１の最も低い位置にある前方誘導路１５１ｃ、１５１ｃに流入する。
【００５６】
第２振分部１５１の流入口１５１ｂに流入した遊技球は第３振分部材１６０の誘導路１６１に流入し、該誘導路１６１によって円形の第３振分部１６２における外周部へ周方向に沿って流入するように誘導される。第３振分部１６２の周方向に沿って流入した遊技球は、流入時の勢いがある程度残っている間は外周付近を周回し、勢いが弱まって速度が遅くなるにつれて、底面の傾斜に従って中央部側に寄り、第１振分口１６２ａ、第２振分口１６２ｂの何れかへ流入する。すなわち、遊技球の第３振分部１６２上での周回速度が遅くなると、遊技球の周回する径が小さくなっていき、中央部に形成された第１振分口１６２ａ、第２振分口１６２ｂの何れかに流入する（振り分けられる）こととなる。
【００５７】
第１振分口１６２ａに流入した遊技球は、第４振分部１８１の第１流下部１８１ｈ上に落下し、第１流下部１８１ｈに流入する。これにより、第１振分口１６２ａを経由して第４振分部１８１に至った遊技球は、高い確率で前方の始動口４へ誘導されることとなる。また、第２振分口１６２ｂに流入した遊技球は、第４振分部１８１の流下方向変更部１８１ｋ上に落下し、第２流下部１８１ｊへ誘導される。これにより、第２振分口１６２ｂを経由して第４振分部１８１に至った遊技球は高い確率で遊技領域１ａへ誘導されることとなる。ただし、上述したように第２流下部１８１ｊへ誘導されても、始動口４への流入の可能性は残っており、遊技者の期待感を持続させることができるようになっている。
【００５８】
一方、第２振分部１５１の前方誘導路１５１ｃに流入した遊技球は、第２振分部１５１の前端へ流下し、流下路形成部材１７０の後方誘導路１７１に流入する。この後方誘導路１７１に流入した遊技球は後方へ流下して第４振分部１８１の後方部１８１ａ上に落下する。第４振分部１８１の後方部１８１ａに落下した遊技球は、後方隔壁１８１ｄに沿って中央へ誘導され、流入部１８１ｅから中央部１８１ｂ及び前方部１８１ｃにかけて形成された流下路１８１ｆへ流入する。また、後方部１８１ａから中央部１８１ｂへ流入する際に、遊技球は流下方向変更部１８１ｋに衝突し、第２流下部１８１ｊへ誘導される。これにより、流下路１９０を経由して第４振分部１８１に至った遊技球は高い確率で遊技領域１ａへ誘導されることとなる。ただし、上述したように第２流下部１８１ｊへ誘導されても、始動口４への流入の可能性は残っており、遊技者の期待感を持続させることができるようになっている。
【００５９】
以上のように役物装置１００においては、複数段階で振り分けが行われるようになっており、遊技球が始動口４に入るまでの過程に変化を持たせて遊技者の興趣を持続させることができる。また、遊技球が役物装置１００内で転動する時間を長くでき、遊技の興趣を向上できる。さらに、遊技球が上下、左右、前後方向に立体的に転動するので、遊技球が始動口４に入るまでの過程に変化を持たせて遊技者の興趣を持続させることができる。また、各振分部における振分結果が始動口４への流入確率に影響するとともに、最後まで流入の可能性が残っているので、役物装置１００における振分の興趣を向上できる。
【００６０】
以上のことから、遊技領域１ａが形成された遊技盤１に配設され、該遊技領域１ａを流下する遊技球を受入可能な役物装置１００と、該役物装置１００の下方に配置される始動口４と、を備えた遊技機であって、役物装置１００は、前面が開口して後方に延在する凹室１２１と、遊技領域１ａを流下する遊技球を凹室１２１内へ導入可能な遊技球導入口１４１ａと、凹室１２１内に配され、遊技球導入口１４１ａから導入した遊技球を始動口４と遊技領域１ａの何れかに振り分ける振分部と、を備え、振分部は、第１振分部１４３と、該第１振分部１４３の下流側に位置する第２振分部１５１と、該第２振分部１５１の下流側に位置する第３振分部１６２と、該第３振分部１６２の下流側に位置する第４振分部１８１と、を備え、第１振分部１４３は、遊技球導入口１４１ａから導入した遊技球を、第２振分部１５１の左右端部の何れかに振り分けるように構成され、第２振分部１５１は、第３振分部１６２へ遊技球を誘導する流入口１５１ｂを中央に備えるとともに、第４振分部１８１へ遊技球を誘導する流下路１９０を左右端部に備え、第１振分部１４３から受け入れた遊技球を第３振分部１６２と第４振分部１８１の何れかに振り分けるように構成され、流下路１９０は、上半部が第２振分部１５１の前端へ向かって下るように形成されるとともに、下半部が第２振分部１５１の下方に配された流下路形成部材１７０により後方へ下るように形成されて、遊技球を第４振分部１８１へ誘導するように構成され、第３振分部１６２は、略すり鉢状に形成され、底面に第４振分部１８１における異なる領域に遊技球を誘導する第１振分口１６２ａと第２振分口１６２ｂとを備え、第２振分部１５１から受け入れた遊技球を、第４振分部１８１における異なる領域の何れかに振り分けるように構成され、第４振分部１８１は、遊技球を始動口４へ誘導する第１流下部１８１ｈを中央に備えるとともに、遊技球を遊技領域１ａへ誘導する第２流下部１８１ｊを左右に備え、遊技球を第１流下部１８１ｈと第２流下部１８１ｊの何れかに振り分けるように構成され、第１振分口１６２ａを第４振分部１８１の第１流下部１８１ｈへ遊技球を誘導するように構成するとともに、流下路１９０及び第２振分口１６２ｂを第４振分部１８１の第１流下部１８１ｈ以外の領域へ遊技球を誘導するように構成し、第１振分口１６２ａに流入して第４振分部１８１に至った遊技球が、流下路１９０若しくは第２振分口１６２ｂを経由して第４振分部１８１に至った遊技球よりも高い確率で始動口４へ誘導されるようにしたこととなる。
【００６１】
次に、上述した実施形態の変形例として、役物装置１００の変形例について図５，６を参照して説明する。なお、基本的には、上述の実施形態の遊技機と同様の構成を有しており、以下、主に異なる部分について説明する。本変形例の役物装置２００は、第４振分部１８１の構造が異なっている。
【００６２】
図５に示すように、本変形例の第４振分部１８１には、後端から前端にかけてベース部材１１０の前方開口部１１２の下部における、前方構成部材１１１が途切れて凹室１２１から遊技領域１ａへの流出部とされた部分の左右幅と略等しい左右幅を有する前方に傾斜する流下部２０１が形成されている。また、図６（ａ）に示すように、第４振分部１８１における、流下部２０１の左右に位置する部分は、流下部２０１よりも一段高く、かつ、流下部２０１へ向かって（中央へ向かって）下る傾斜面となった側方部２０２，２０２が形成されている。
【００６３】
そして、流下部２０１及び側方部２０２，２０２には、ここを流下する遊技球の流下方向を変更するように、遊技球に衝突可能な高さを有する円柱状の突起である流下方向変更部材２０３，２０３，…が複数形成されている。このうち、図５、図６（ｂ）に示すように、流下部２０１の前端に位置し、流下部２０１の左右方向の中央を挟んで遊技球の直径程度の間隔をあけて形成された一対の流下方向変更部材２０３ａ，２０３ａは、始動口４へ遊技球を誘導する第１流下部１８１ｈを区画する区画部材をなす。これにより、この一対の区画部材をなす流下方向変更部材２０３ａ，２０３ａの間を通過する遊技球が確実に始動口４へ誘導されるようになっている。
【００６４】
また、第１流下部１８１ｈの上流側であって、流下部２０１の左右方向の中央に形成された流下方向変更部材２０３ｂは、この後方から流下する遊技球が直接第１流下部１８１ｈに流入することを規制する規制部材をなす。この規制部材をなす流下方向変更部材２０３ｂは、第３振分部１６２の中心の下方に位置している。これにより、第３振分部１６２の中心に対して前方に形成された第１振分口１６２ａに流入した遊技球は、規制部材をなす流下方向変更部材２０３ｂの前方に流下して第１流下部１８１ｈに流入するようになる。また、第３振分部１６２の中心に対して後方に形成された第２振分口１６２ｂに流入した遊技球は、規制部材をなす流下方向変更部材２０３ｂの後方に流下して衝突することにより第２流下部１８１ｊに誘導される。
【００６５】
また、流下路１９０を流下した遊技球は側方部２０２へ流入し、傾斜に沿って流下部２０１へ案内されて、前方へ流下するようになっている。このとき遊技球は、複数の流下方向変更部材２０３，２０３，…に衝突して流下方向が変更されながら流下するが、規制部材をなす流下方向変更部材２０３ｂがあることで、ほとんどが第２流下部１８１ｊを流下し遊技領域１ａへ誘導されるようになっている。ただし、第２流下部１８１ｊへ誘導されても、流下方向変更部材２０３，２０３，…に衝突して第１流下部１８１ｈへ流入し、始動口４へ流入する可能性は残っており、遊技者の期待感を持続させることができるようになっている。
【００６６】
以上のような遊技機は、遊技領域１ａが形成された遊技盤１に配設され、該遊技領域１ａを流下する遊技球を受入可能な役物装置１００と、該役物装置１００の下方に配置される始動口４と、を備えた遊技機であって、役物装置１００は、前面が開口して後方に延在する凹室１２１と、遊技領域１ａを流下する遊技球を凹室１２１内へ導入可能な遊技球導入口１４１ａと、凹室１２１内に配され、遊技球導入口１４１ａから導入した遊技球を始動口４と遊技領域１ａの何れかに振り分ける振分部と、を備え、振分部は、第１振分部１４３と、該第１振分部１４３の下流側に位置する第２振分部１５１と、該第２振分部１５１の下流側に位置する第３振分部１６２と、該第３振分部１６２の下流側に位置する第４振分部１８１と、を備え、第１振分部１４３は、遊技球導入口１４１ａから導入した遊技球を、第２振分部１５１の左右端部の何れかに振り分けるように構成され、第２振分部１５１は、第３振分部１６２へ遊技球を誘導する流入口１５１ｂを中央に備えるとともに、第４振分部１８１へ遊技球を誘導する流下路１９０を左右端部に備え、第１振分部１４３から受け入れた遊技球を第３振分部１６２と第４振分部１８１の何れかに振り分けるように構成され、流下路１９０は、上半部が第２振分部１５１の前端へ向かって下るように形成されるとともに、下半部が第２振分部１５１の下方に配された流下路形成部材１７０により後方へ下るように形成されて、遊技球を第４振分部１８１へ誘導するように構成され、第３振分部１６２は、略すり鉢状に形成され、底面に第４振分部１８１における異なる領域に遊技球を誘導する第１振分口１６２ａと第２振分口１６２ｂとを備え、第２振分部１５１から受け入れた遊技球を、第４振分部１８１における異なる領域の何れかに振り分けるように構成され、第４振分部１８１は、遊技球を始動口４へ誘導する第１流下部１８１ｈを中央に備えるとともに、遊技球を遊技領域１ａへ誘導する第２流下部１８１ｊを左右に備え、遊技球を第１流下部１８１ｈと第２流下部１８１ｊの何れかに振り分けるように構成され、第１振分口１６２ａを第４振分部１８１の第１流下部１８１ｈへ遊技球を誘導するように構成するとともに、流下路１９０及び第２振分口１６２ｂを第４振分部１８１の第１流下部１８１ｈ以外の領域へ遊技球を誘導するように構成し、第１振分口１６２ａに流入して第４振分部１８１に至った遊技球が、流下路１９０若しくは第２振分口１６２ｂを経由して第４振分部１８１に至った遊技球よりも高い確率で始動口４へ誘導されるようにしている。
【００６７】
したがって、振分部は、第１振分部１４３と、該第１振分部１４３の下流側に位置する第２振分部１５１と、該第２振分部１５１の下流側に位置する第３振分部１６２と、該第３振分部１６２の下流側に位置する第４振分部１８１とを備えるので、複数段階で振り分けが行われるようになり、遊技球が始動口４に入るまでの過程に変化を持たせて遊技者の興趣を持続させることができる。また、遊技球が役物装置１００内で転動する時間を長くでき、遊技の興趣を向上できる。
【００６８】
また、第１振分部１４３は、遊技球導入口１４１ａから導入した遊技球を第２振分部１５１の左右端部の何れかに振り分け、第２振分部１５１は、第３振分部１６２へ遊技球を誘導する流入口１５１ｂを中央に備えるとともに、第４振分部１８１へ遊技球を誘導する流下路１９０を左右端部に備え、遊技球を第３振分部１６２と第４振分部１８１の何れかに振り分け、流下路１９０は、上半部が第２振分部１５１の前端へ向かって下るとともに、下半部が後方へ下るように形成されて、遊技球を第４振分部１８１へ誘導する。また、第３振分部１６２は、略すり鉢状に形成され、底面に第４振分部１８１における異なる領域に遊技球を誘導する第１振分口１６２ａと第２振分口１６２ｂとを備え、遊技球を第４振分部１８１における異なる領域の何れかに振り分け、第４振分部１８１は、遊技球を始動口４へ誘導する第１流下部１８１ｈを中央に備えるとともに、遊技球を遊技領域１ａへ誘導する第２流下部１８１ｊを左右に備え、遊技球を第１流下部１８１ｈと第２流下部１８１ｊの何れかに振り分けるので、遊技球が上下、左右、前後に転動し、立体的な遊技球の動きを実現でき、遊技球が始動口４に入るまでの過程に変化を持たせて遊技者の興趣を持続させることができる。また、第１振分口１６２ａを第４振分部１８１の第１流下部１８１ｈへ遊技球を誘導するように構成するとともに、流下路１９０及び第２振分口１６２ｂを第４振分部１８１の第１流下部１８１ｈ以外の領域へ遊技球を誘導するように構成し、第１振分口１６２ａに流入して第４振分部１８１に至った遊技球が、流下路１９０若しくは第２振分口１６２ｂを経由して第４振分部１８１に至った遊技球よりも高い確率で始動口４へ誘導されるようにしたので、各振分部における振分結果が始動口４への入賞確率に影響するようになり、役物装置１００における振分の興趣を向上できる。
【００６９】
また、第２振分部１５１は、第１振分部１４３からの遊技球を受け入れる左右端部の内面が、外側へ突出する円弧状の曲面とされている。
【００７０】
したがって、第２振分部１５１は、第１振分部１４３からの遊技球を受け入れる左右端部の内面が、外側へ突出する円弧状の曲面とされているので、上方から落下する遊技球の落下の勢いを損ねることなく、流下方向を第２振分部１５１の中央へ方向に滑らかに変換でき、転動態様に変化をもたせることができる。また、流下方向が変更される位置での球止まりを防止できる。さらに、上述したように、第２振分部１５１の中央に遊技者にとって有利な第３振分部１６２への流入口１５１ｂを設ければ、この流入口１５１ｂへ向かって遊技球が勢い良く転動することにより入賞への期待感を増大でき、遊技の興趣を向上できる。
【００７１】
また、凹室１２１の内周面に被嵌合部１２４，１２５，１２６，１２７を形成し、凹室１２１内に配設されて振分部を構成する振分部構成部材（第２振分部材１５０、第３振分部材１６０、流下路形成部材１７０、第４振分部材１８０）に、被嵌合部１２４，１２５，１２６，１２７に嵌合可能な嵌合部１５２，１６３，１７２，１８２を形成し、嵌合部１５２，１６３，１７２，１８２を被嵌合部１２４，１２５，１２６，１２７に嵌合することで、凹室１２１の所定位置に振分部構成部材を配設可能としている。
【００７２】
したがって、凹室１２１の内周面に被嵌合部１２４，１２５，１２６，１２７を形成し、凹室１２１内に配設されて振分部を構成する振分部構成部材に、被嵌合部１２４，１２５，１２６，１２７に嵌合可能な嵌合部１５２，１６３，１７２，１８２を形成し、嵌合部１５２，１６３，１７２，１８２を被嵌合部１２４，１２５，１２６，１２７に嵌合することで、凹室１２１の所定位置に振分部構成部材を配設可能としたので、凹室１２１内に多くの振分部を備える場合でも各部材を所定位置に確実に配設でき、役物装置１００の不具合（球止まり、振分確率のばらつきなど）の発生を防止できる。また、振分部を構成する振分部構成部材に一体に嵌合部１５２，１６３，１７２，１８２を形成することで部品点数を削減でき、組み立ての際の作業性を向上できる。
【００７３】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００７４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７５】
【図１】本発明を適用した一実施の形態の構成を示す遊技盤の正面図である。
【図２】役物装置の正面図である。
【図３】役物装置の前側から見た斜視図である。
【図４】役物装置の前側から見た分解斜視図である。
【図５】変形例にかかる役物装置の正面図である。
【図６】変形例にかかる役物装置の第４振分部材を示す図であって、（ａ）前側から見た斜視図、（ｂ）上面図である。
【符号の説明】
【００７６】
１        遊技盤
１ａ      遊技領域
４        始動口
１００    役物装置
１２１    凹室
１２４    被嵌合部
１２５    被嵌合部
１２６    被嵌合部
１２７    被嵌合部
１４１ａ  遊技球導入口
１４３    第１振分部（振分部）
１５０    第２振分部材（振分部構成部材）
１５１    第２振分部（振分部）
１５１ｂ  流入口
１５２    嵌合部
１６０    第３振分部材（振分部構成部材）
１６２    第３振分部（振分部）
１６２ａ  第１振分口
１６２ｂ  第２振分口
１６３    嵌合部
１７０    流下路形成部材（振分部構成部材）
１７２    嵌合部
１８０    第４振分部材（振分部構成部材）
１８１    第４振分部（振分部）
１８１ｈ  第１流下部
１８１ｊ  第２流下部
１８２    嵌合部
１９０    流下路 
【図１】
2009028238.tif 000003
【図２】
2009028238.tif 000004
【図３】
2009028238.tif 000005
【図４】
2009028238.tif 000006
【図５】
2009028238.tif 000007
【図６】
2009028238.tif 000008